(57)【要約】【課題】大容量の情報を配信することができ、送信元の局舎と、配信先の局舎を柔軟に変更できる光通信装置を提供する。【解決手段】光通信装置は、１つ以上の入力ポートに入力された光信号をそれぞれ分岐して、少なくとも２つの出力ポートから出力する第１手段と、１つ以上の入力ポート及び１つ以上の出力ポートを備えた第２手段とを有し、第１手段の出力ポートの１つは、第２手段の入力ポートの１つに接続され、第２手段は、第２手段の入力ポートのそれぞれに入力された光信号に含まれる各波長の信号うち、選択した入力ポートの選択した波長の信号を、第２手段の総ての出力ポート、又は、第２手段の選択した１つ以上の出力ポートから出力し、それ以外の信号については、第２手段のいずれの出力ポートからも出力しない様にブロックすることができる。【選択図】図１
2011041045.tif 000002
【特許請求の範囲】
【請求項１】
１つ以上の入力ポートに入力された光信号をそれぞれ分岐して、少なくとも２つの出力ポートから出力する第１手段と、
１つ以上の入力ポート及び１つ以上の出力ポートを備えた第２手段と、
を有する光通信装置であって、
第１手段の出力ポートの１つは、第２手段の入力ポートの１つに接続され、
第２手段は、第２手段の入力ポートのそれぞれに入力された光信号に含まれる各波長の信号うち、選択した入力ポートの選択した波長の信号を、第２手段の総ての出力ポート、又は、第２手段の選択した１つ以上の出力ポートから出力し、それ以外の信号については、第２手段のいずれの出力ポートからも出力しない様にブロックする、
光通信装置。
【請求項２】
第２手段は、
第２手段の各入力ポートに入力された光信号を合波する合波手段と、
前記合波手段が合波した光信号に含まれる各波長の信号のうち、第２手段から出力する波長の信号と、出力する１つ以上の第２手段の出力ポートを選択できる選択手段と、
を含んでいる請求項１に記載の光通信装置。
【請求項３】
第２手段は、
第２手段の各入力ポートに入力された光信号に含まれる各波長の信号それぞれについて、出力するか否かを選択できる第１選択手段と、
前記第１選択手段が選択して出力した各波長の信号のうち、第２手段から出力する波長の信号と、出力する１つ以上の第２手段の出力ポートを選択できる第２選択手段と、
を含んでいる請求項１に記載の光通信装置。
【請求項４】
第２手段は、
第２手段の各入力ポートに入力された光信号に含まれる各波長の信号それぞれについて、出力するか否かを選択できる選択手段と、
前記選択手段が選択して出力した各波長の信号を、第２手段の総ての出力ポートに分岐する分岐手段と、
を備えている請求項１に記載の光通信装置。
【請求項５】
第１手段の出力ポートの１つは、第３手段に接続され、
第３手段は、入力された光信号に含まれる各波長の信号のうち、出力する波長の信号を選択できる、
請求項１から４のいずれか１項に記載の光通信装置。
【発明の詳細な説明】
【技術分野】
【０００１】
本発明は、波長パスの設定を行う光通信装置に関する。より詳しくは、波長マルチキャスト、つまり、１対多接続の波長パスを設定できる光通信装置に関する。
【背景技術】
【０００２】
通信網を使用して、大容量コンテンツの信号を、その配信元から任意の場所に同時に送信するために、例えば、非特許文献１に記載のＩＰマルチキャスト技術を適用することが考えられる。しかしながら、例えば、放送用の非圧縮スーパーハイビジョン信号を送信するためには、数十Ｇｂｐｓの伝送速度が必要であり、この様な大容量トラフィックをＩＰマルチキャスト技術により伝送することは、ＩＰマルチキャストを実現する各装置の処理負荷の点で現実的ではない。
【先行技術文献】
【非特許文献】
【０００３】
【非特許文献１】“ＩＰマルチキャスト  テクノロジーの概要”、［ｏｎｌｉｎｅ］、シスコシステムズ合同会社、［平成２１年８月１１日検索］、インターネット＜ＵＲＬ：ｈｔｔｐ：／／ｗｗｗ．ｃｉｓｃｏ．ｃｏｍ／ｗｅｂ／ＪＰ／ｐｒｏｄｕｃｔ／ｈｓ／ｉｏｓ／ｍｕｌｔｉｃａｓｔ／ｔｅｃｈ／ｍｃｓｔ＿ｏｖｒ．ｈｔｍｌ＞
【発明の概要】
【発明が解決しようとする課題】
【０００４】
なお、情報発生場所が時間的に変動する様な信号の配信のためには、任意の局舎から信号を配信でき、配信先の局舎も柔軟に変更できることが求められる。
【０００５】
したがって、本発明は、大容量の情報を配信することができ、送信元の局舎と、配信先の局舎を柔軟に変更できる光通信装置を提供することを目的とする。
【課題を解決するための手段】
【０００６】
本発明における光通信装置によれば、
１つ以上の入力ポートに入力された光信号をそれぞれ分岐して、少なくとも２つの出力ポートから出力する第１手段と、１つ以上の入力ポート及び１つ以上の出力ポートを備えた第２手段とを有する光通信装置であって、第１手段の出力ポートの１つは、第２手段の入力ポートの１つに接続され、第２手段は、第２手段の入力ポートのそれぞれに入力された光信号に含まれる各波長の信号うち、選択した入力ポートの選択した波長の信号を、第２手段の総ての出力ポート、又は、第２手段の選択した１つ以上の出力ポートから出力し、それ以外の信号については、第２手段のいずれの出力ポートからも出力しない様にブロックすることを特徴とする。
【０００７】
また、本発明における光通信装置の他の実施形態によれば、
第２手段は、第２手段の各入力ポートに入力された光信号を合波する合波手段と、前記合波手段が合波した光信号に含まれる各波長の信号のうち、第２手段から出力する波長の信号と、出力する１つ以上の第２手段の出力ポートを選択できる選択手段とを含んでいることも好ましい。
【０００８】
さらに、本発明における光通信装置の他の実施形態によれば、
第２手段は、第２手段の各入力ポートに入力された光信号に含まれる各波長の信号それぞれについて、出力するか否かを選択できる第１選択手段と、前記第１選択手段が選択して出力した各波長の信号のうち、第２手段から出力する波長の信号と、出力する１つ以上の第２手段の出力ポートを選択できる第２選択手段とを含んでいることも好ましい。
【０００９】
さらに、本発明における光通信装置の他の実施形態によれば、
第２手段は、第２手段の各入力ポートに入力された光信号に含まれる各波長の信号それぞれについて、出力するか否かを選択できる選択手段と、前記選択手段が選択して出力した各波長の信号を、第２手段の総ての出力ポートに分岐する分岐手段とを備えていることも好ましい。
【００１０】
さらに、本発明における光通信装置の他の実施形態によれば、
第１手段の出力ポートの１つは、第３手段に接続され、第３手段は、入力された光信号に含まれる各波長の信号のうち、出力する波長の信号を選択できることも好ましい。
【発明の効果】
【００１１】
大容量の情報を１つ以上の任意の局舎に配信することができ、第２手段を制御することにより、送信元の局舎と、１つ以上の配信先の局舎の組合せを柔軟に変更することができる。
【図面の簡単な説明】
【００１２】
【図１】本発明による光通信装置の第１実施形態の構成図である。
【図２】本発明による光通信装置の第２実施形態の構成図である。
【図３】本発明による光通信装置の第３実施形態の構成図である。
【図４】Ｄ＆Ｃ機能付き波長選択スイッチ部の実施形態を示す図である。
【図５】ネットワーク構成図である。
【発明を実施するための形態】
【００１３】
本発明を実施するための形態について、以下では図面を用いて詳細に説明する。
【００１４】
図５は、以下の説明にて用いる光ネットワークの構成図である。図５に示す様に、局舎Ａ〜Ｄの４つの局舎が存在し、局舎ＡとＢ、局舎ＡとＣ、局舎ＡとＤ、局舎ＢとＣが、それぞれ、光伝送路により相互に接続されているものとする。また、本発明においては、配信する信号に、それぞれ、１つの波長を割り当てる。つまり、１つの１対多波長パスに、１つの配信信号が対応する。
【００１５】
図１は、本発明による光通信装置の第１実施形態の構成図であり、局舎Ａにおける構成を示している。図１に示す様に、本発明による光通信装置は、波長選択スイッチ部（ＷＳＳ：Ｗａｖｅｌｅｎｇｔｈ  Ｓｅｌｅｃｔｉｖｅ  Ｓｗｉｔｃｈ）１と、光カップラ部２及び３１と、Ｄ＆Ｃ機能付き波長選択スイッチ部（Ｄ＆Ｃ：Ｄｒｏｐ  ａｎｄ  Ｃｏｎｔｉｎｕｅ）４１とを備えている。なお、図１〜図３において、実線の矢印は１つ以上の波長の信号を含む光信号を、点線の矢印は１つの波長の信号のみを含む光信号を示している。
【００１６】
本発明においては、各局舎が信号配信に必ず利用できる波長を、あらかじめ重複しない様に割り当てておく。つまり、例えば、λ１〜λ２０の２０波が利用可能である場合には、例えば、局舎Ａにはλ１〜λ５、局舎Ｂにはλ６〜λ１０、局舎Ｃにはλ１１〜λ１５、局舎Ｄにはλ１６〜λ２０と、それぞれ、５波ずつ割り当てておく。
【００１７】
光カップラ部２及び３１は、各入力ポートに入力された光信号の総てを、総ての出力ポートから出力するものであり、波長選択スイッチ部１は、各入力ポートに入力された光信号に含まれる各波長の信号それぞれを、選択した１つの出力ポートから出力する様に制御を行うものである。Ｄ＆Ｃ機能付き波長選択スイッチ部４１は、各入力ポートに入力された光信号に含まれる各波長の信号それぞれを、選択した１つ以上の出力ポートから出力する様に制御を行うものである。なお、波長選択スイッチ部１及びＤ＆Ｃ機能付き波長選択スイッチ部４１は、総ての入力ポートに入力された光信号に含まれる総ての波長の信号を、いずれかの出力ポートから必ず出力するのではなく、必要ではない波長の信号をブロック、つまり、いずれの出力ポートからも出力しない様にすることもできる。
【００１８】
以下に、信号の流れを説明する。他の局舎から光伝送路を介して受信する、１つ以上の波長の信号を含む光信号は、それぞれ光カップラ部２に入力され、光カップラ部２は、入力信号を２分岐して、それぞれ、波長選択スイッチ部１と、光カップラ部３１に出力する。波長選択スイッチ部１は、入力ポートに入力される局舎Ｂ、Ｃ及びＤからの光信号に含まれる各波長の信号から、配信を受ける波長の信号を選択して各出力ポートに出力する。
【００１９】
また、局舎Ａから、他の局舎に配信する各波長の信号は、それぞれ、光カップラ部３１の入力ポートに入力される。したがって、光カップラ部３１は、局舎Ａから配信する総ての波長の信号と、他の局舎から受信した総ての波長の信号を、Ｄ＆Ｃ機能付き波長選択スイッチ部４１に出力する。Ｄ＆Ｃ機能付き波長選択スイッチ部４１は、入力された総ての波長それぞれについて、配信を行う局舎に対応する出力ポートから出力する様に波長の切替えを行う。なお、どの局舎にも配信を行わない波長についてはブロックする。
【００２０】
例えば、局舎Ａから波長λ１にて局舎Ｃ及びＤに信号配信を行いたい場合、Ｄ＆Ｃ機能付き波長選択スイッチ部４１は、波長λ１の信号を、局舎Ｃ及びＤに対応する光ポートから共に出力し、局舎Ｂに対応する光ポートからは出力しない様に設定される。また、局舎Ｄから波長λ２０にて配信された信号を、さらに、局舎Ｂ及びＣに配信したい場合、Ｄ＆Ｃ機能付き波長選択スイッチ部４１は、波長λ２０の信号を、局舎Ｂ及びＣに対応する光ポートから出力し、局舎Ｄに対応する光ポートからは出力しない様に設定される。
【００２１】
なお、Ｄ＆Ｃ機能付き波長選択スイッチ部４１は、単一のＤ＆Ｃ機能付き波長選択スイッチにより構成しても、複数のＤ＆Ｃ機能付き波長選択スイッチを多段接続して構成してもよい。図４は、２つの１入力２出力のＤ＆Ｃ機能付き波長選択スイッチ４１１及び４１２を直列に多段接続して、図１に示す、１入力３出力構成のＤ＆Ｃ機能付き波長選択スイッチ部４１を実現する例を示している。
【００２２】
以上、本発明は、配信信号を１つの波長パスにより送信するため、大容量信号の配信が可能であり、かつ、Ｄ＆Ｃ機能付き波長選択スイッチ部４１の制御により、配信元の局舎と、１つ以上の配信先の局舎を自由に変更することが可能となる。
【００２３】
図２は、本発明による光通信装置の第２実施形態の構成図である。なお、以後の説明において、図１と同じ構成要素には同じ参照符号を使用して、詳細な説明は省略する。図２によると、本実施形態の光通信装置は、図１の光通信装置の光カップラ部３１を、波長選択スイッチ部３２に置き換えたものとなっている。なお、波長選択スイッチ部３２の機能は、波長選択スイッチ部１と同じである。光カップラ部３１には、波長選択性がなく、総ての波長を出力ポートから出力するが、波長選択スイッチ部３２は、Ｄ＆Ｃ機能付き波長選択スイッチ部４１に出力する波長を選択できるため、光伝送路の有効利用が可能となる。
【００２４】
具体的には、局舎Ｂが波長λ６での信号配信を局舎Ａに対してのみ行っている場合、第１実施形態の光通信装置では、局舎Ａにおいて、局舎Ｂから入力される波長λ６の信号は、光カップラ部２経由で、光カップラ部３１を通過し、Ｄ＆Ｃ機能付き波長選択スイッチ部４１においてブロックされることになる。したがって、局舎Ａから局舎Ｂ、Ｃ及びＤへの伝送路においては、波長λ６の信号を使用することはできない。
【００２５】
これに対して、第２実施形態における局舎Ａでは、波長選択スイッチ部３２において、局舎Ｂから受信する光信号に含まれる波長λ６の信号をブロックすることができる。したがって、配信サーバ側の入力ポートに波長λ６の信号を入力して、Ｄ＆Ｃ機能付き波長選択スイッチ部４１へ出力できる様になり、波長λ６の信号を、局舎Ｂから局舎Ａへの信号配信に加えて、局舎Ａから、局舎Ｂ、Ｃ及び／又は局舎Ｄへの信号配信に利用することが可能になる。
【００２６】
図３は、本発明による光通信装置の第３実施形態の構成図である。図３に示す様に、本実施形態の光通信装置は、図２のＤ＆Ｃ機能付き波長選択スイッチ部４１を、光カップラ部４２に置き換えたものとなっている。なお、光カップラ部４２の機能は、光カップラ部２と同じである。本実施形態は、第２実施形態と同じく、波長選択スイッチ部３２で不要な波長をブロックすることができ、第１実施形態より波長の有効利用が可能である。ただし、本実施形態は、Ｄ＆Ｃ機能付き波長選択スイッチ部４１の代わりに光カップラ部４２を使用するため、第２実施形態の様に、配信先の局舎への光伝送路のみに配信信号を出力する様に制限することはできず、総ての光伝送路に送信することになる。このため、波長クロストークの増加等により、第２実施形態より、信号の品質面では劣ることになる。しかしながら、高価なＤ＆Ｃ機能付き波長選択スイッチ部４１ではなく、安価な光カップラ部４２を使用するため、コスト面では第２実施形態より有利となる。
【００２７】
以上、本発明は、各入力ポートのそれぞれに入力された光信号に含まれる各波長の信号うち、選択した入力ポートの選択した波長の信号を、総ての出力ポート、又は、選択した１つ以上の出力ポートから出力し、それ以外の信号については、いずれの出力ポートからも出力しない様にブロックすることができる手段を、光カップラ部３１及びＤ＆Ｃ機能付き波長選択スイッチ部４１の組合せ、波長選択スイッチ部３２及びＤ＆Ｃ機能付き波長選択スイッチ部４１の組合せ、或いは、波長選択スイッチ部３２及び光カップラ部４２の組合せにより実現し、光カップラ部２の出力ポートと、上記手段の入力ポートを接続することで、配信先の局舎を柔軟に変更できる様にしたものである。なお、光カップラ部２の各入力ポート及び上記手段の各出力ポートは、それぞれ、各局舎との光伝送路に対応させ、必要な数を用意する。また、波長選択スイッチ部１は、自局で受信する光信号に含まれる各波長の信号のうち、必要なもののみを取り出すためのものである。
【００２８】
なお、上述した実施形態において、波長選択スイッチ部１は、１つの波長の信号のみを各出力ポートから出力するものとしていたが、配信を受ける総ての波長の信号を、波長多重された状態で出力し、各波長の信号の取り出しについては、他の装置にて行う形態であっても良い。同様に、自局舎から配信する信号についても、他の装置で波長多重し、光カップラ部３１又は波長選択スイッチ部３２には、波長多重された状態で入力する形態であっても良い。つまり、図に示す各機能ブロックの入力ポート数及び出力ポート数は、機能ブロック間を接続する部分も含めて設計事項であり、実施形態に示す数に限定されない。
【符号の説明】
【００２９】
１、３２  波長選択スイッチ部
２、３１、４２  光カップラ部
４１  Ｄ＆Ｃ機能付き波長選択スイッチ部
４１１、４１２  １入力２出力Ｄ＆Ｃ機能付き波長選択スイッチ
【図１】
2011041045.tif 000003
【図２】
2011041045.tif 000004
【図３】
2011041045.tif 000005
【図４】
2011041045.tif 000006
【図５】
2011041045.tif 000007